(57)【要約】【課題】かご枠や昇降路内の機材類との接触の恐れがなく、また吊りに関する管理が容易となるエレベータの防犯カメラ用伝送ケーブルの敷設構造を提供することにある。【解決手段】昇降路１内で昇降する乗りかご６内に防犯カメラ１２が設けられ、この防犯カメラ１２と機械室２内のビデオデッキ１３とが撮影画像伝送用の伝送ケーブル２０で接続される。乗りかご６と昇降路１の側壁のターミナル部１５との間にはテールコード１６が掛け渡され、このテールコード１６を介して乗りかご６と機械室２内の制御盤１０とが接続されている。そして前記伝送ケーブル２０が前記テールコード１６内に内蔵されて一体化されている。【選択図】    図１
2008207894.tif 000002
【特許請求の範囲】
【請求項１】
乗りかご内の防犯カメラに接続される撮影画像伝送用の伝送ケーブルと、
前記乗りかごとターミナル部との間に掛け渡されるテールコードとを具備し、
前記伝送ケーブルが前記テールコード内に内蔵されていることを特徴とするエレベータの防犯カメラ用伝送ケーブルの敷設構造。
【請求項２】
前記テールコードは断面が円形であることを特徴とすることを請求項１に記載のエレベータの防犯カメラ用伝送ケーブルの敷設構造。
【発明の詳細な説明】
【技術分野】
【０００１】
この発明は、エレベータの乗りかごに設置される防犯カメラの伝送ケーブルを所定の区間に敷設するための敷設構造に関する。
【背景技術】
【０００２】
近年、防犯上の観点から乗りかご内に防犯カメラを設置して乗りかご内の様子を撮影することが一般に行なわれている。この場合、乗りかご内の防犯カメラは、例えば昇降路内上部の機械室に設置されたビデオデッキと撮影画像伝送用の伝送ケーブルで接続される。伝送ケーブルとしては同軸ケーブルが用いられる。
【０００３】
また、昇降路上部の機械室には、エレベータ制御回路が組み込まれた制御盤が設けられ、この制御盤と乗りかごとがテールコードで接続され、このテールコードを介して乗りかごへの電力の供給や乗りかごと制御盤との間での各種の信号の送受信が行なわれる。このテールコードは、昇降路内にＵ字状に屈曲して垂れ下がるように乗りかごの下端部と昇降路側壁のターミナル部との間に掛け渡されている。
【０００４】
そして、特開２０００−１２７７公報に見られるように、防犯カメラの伝送ケーブルをテールコートに沿うように隣接させ、その双方を結束バンドで結束して伝送ケーブルを昇降路内に敷設する技術が提案されている。結束バンドとしては、インシュロックと呼ばれる、環状に回したバンドを一方向に引っ張ることで伝送ケーブルとテールコードとを結束することが可能な合成樹脂製の締め具が用いられることがある。
【特許文献１】特開２０００−１２７７公報
【発明の開示】
【発明が解決しようとする課題】
【０００５】
しかしながら、伝送ケーブルをテールコードに沿うように隣接させ、その双方を結束バンドで結束して伝送ケーブルを昇降路内に敷設する構造では、結束バンドの一部が伝送ケーブルやテールコードの外周側に突出するため、乗りかごが昇降移動する際にその突出部が乗りかごのかご枠や昇降路内の機材類に接触し、その衝撃で伝送ケーブルやテールコードを損傷させてしまう恐れがある。また、テールコードに伝送ケーブルを沿わせて結束バンドで結束する構造では、伝送ケーブルの吊りの調整が難しくなったりテールコードの吊りバランスが崩れやすくなったりして吊りに関する管理が面倒となる。
【０００６】
この発明はこのような点に着目してなされたもので、その目的とするところは、かご枠や昇降路内の機材類との接触の恐れがなく、また吊りに関する管理を容易に行なえるエレベータの防犯カメラ用伝送ケーブルの敷設構造を提供することにある。
【課題を解決するための手段】
【０００７】
請求項１の発明は、乗りかご内の防犯カメラに接続される撮影画像伝送用の伝送ケーブルと、前記乗りかごとターミナル部との間に掛け渡されるテールコードとを具備し、前記伝送ケーブルが前記テールコード内に内蔵されていることを特徴としている。
【０００８】
請求項２の発明は、前記テールコードの断面が円形であることを特徴としている。
【発明の効果】
【０００９】
この発明によれば、かご枠や昇降路内の機材類との接触の恐れがなく、また吊りに関する管理が容易となる。
【発明を実施するための最良の形態】
【００１０】
以下、この発明の一実施形態について図面を参照して説明する。
【００１１】
図１にはエレベータの全体の構成を示してあり、建屋の昇降路１の上部には機械室２が設けられ、この機械室２内に駆動装置としての巻上機３が設置されている。巻上機３にはメインロープ５が巻き掛けられ、このメインロープ５の両端側が昇降路１内に導出され、その一端側の端部に乗りかご６が、他端側の端部にカウンターウエイト７がそれぞれ取り付けられ、これら乗りかご６とカウンターウエイト７とが互いに重量的にほぼ平衡するように昇降路１内に吊下げられている。
【００１２】
機械室２には、エレベータ制御回路が組み込まれた制御盤１０が設置され、この制御盤１０による制御で巻上機３が駆動され、乗りかご６とカウンターウエイト７とが互いに逆方向に昇降移動する。
【００１３】
乗りかご６内には防犯カメラ１２が設置され、また機械室２内にはその防犯カメラ１２の撮影画像を録画するビデオデッキ１３が設置されている。昇降路１の側壁にはターミナル部１５が設けられ、このターミナル部１５と乗りかご６の下端部との間に断面円形のテールコード１６が掛け渡されている。ターミナル部１５と制御盤１０との間には接続線１７が配線され、この接続線１７を介してテールコード１６が制御盤１０に接続されている。そして制御盤１０と乗りかご６との間での電力の供給や各種の信号の送受信がテールコード１６を通して行なわれる。
【００１４】
乗りかご６内の防犯カメラ１２と機械室２内のビデオデッキ１３は撮影画像伝送用の伝送ケーブル２０で接続されている。この伝送ケーブル２０は例えば同軸ケーブルからなり、図２に示すようにテールコード１６内に内蔵されている。すなわち、テールコード１６は麻芯２２を中心としてその周囲に複数本の導体２３を均等的に配し、これら麻芯２２と導体２３を可撓性を有する絶縁材料からなるシース２４で覆って全体の断面が円形となるように一体化してなる。そして前記シース２４の内部に伝送ケーブル２０が埋め込まれてテールコード１６に一体化されている。
【００１５】
伝送ケーブル２０は麻芯２２及び導体２３と平行に延びるとともにその両端側がそれぞれシース２４から突出し、その突出した一端側の端部が防犯カメラ１２に接続され、他端側の端部がビデオデッキ１３に接続されている。
【００１６】
このように伝送ケーブル２０をテールコード１６の内部に内蔵する構造によれば、従来のような結束バンドが不要であり、したがって結束バンドが乗りかご６のかご枠や昇降路１内の機材類に接触し、その接触の衝撃で伝送ケーブル２０やテールコード１６が損傷するというようなことがなく、伝送ケーブル２０やテールコード１６の損傷を防止することができる。
【００１７】
また、テールコード１６内に伝送ケーブル２０が内蔵されているから、伝送ケーブル２０の吊り調整を別個に行なう必要がなく、またテールコード１６の吊りのバランスが崩れることもなく、その吊りに関する管理が容易となる。
【００１８】
なお、前記実施形態では、昇降路１の上部に機械室２を設け、この機械室２内に巻上機３、制御盤１０及びビデオデッキ１３を設置する構造としたが、機械室を設けずに、昇降路１内の適宜な個所に巻上機３、制御盤１０及びビデオデッキ１３を設置するような構造とする場合であってもよい。
【図面の簡単な説明】
【００１９】
【図１】この発明の一実施形態に係るエレベータの全体の構成を示す説明図。
【図２】そのエレベータのテールコードの構造を示す断面図。
【符号の説明】
【００２０】
１…昇降路
２…機械室
３…巻上機
５…メインロープ
６…乗りかご
７…カウンターウエイト
１０…制御盤
１２…防犯カメラ
１３…ビデオデッキ
１５…ターミナル部
１６…テールコード
１７…接続線
２０…伝送ケーブル
２２…麻芯
２３…導体
２４…シース
【図１】
2008207894.tif 000003
【図２】
2008207894.tif 000004